(57)【要約】【課題】ＶＨＦ、ＵＨＦ、ＣＡＴＶ受信機ならびに衛星放送受信機（以下ＲＦ受信機と略称）のアンテナ入出力端子が同一形状であり、ディジタル放送の放送開始に伴い、複数のＲＦ受信機が同一機器内に存在しアンテナ入出力端子の誤接続情報を提供することを目的とする。【解決手段】フィルターの出力端と復調器の出力端から所望の放送信号が出力されているか検出し、もし所望の放送信号が検出されなければＬＥＤや記録再生装置の表示管を表示させたり、ブザー等を用い音でお客様にお知らせをする。また、ＲＦ受信機の入力端子と出力端子の間にスイッチを設け、ＲＦ受信機の出力端子からアンテナからの放送信号を入力したときにはそのスイッチをＯＦＦさせることによって入力端子−スイッチ間に信号が伝播されないのでこれを検出させ、ＬＥＤや記録再生装置の表示管を表示させる。あるいはブザー等を用い音でお客様にお知らせをする。【選択図】図１
2006287408.tif 000002
【特許請求の範囲】
【請求項１】
テレビ放送信号を入力する入力部と、入力部からの放送信号が所望の放送信号かどうか判定し所望の放送信号でない時にエラー検出を行い、エラー情報を表示部に表示させる誤接続検出部と、その誤接続検出部から透過された放送信号が入出力端子を有しかつ入出力端子の誤接続を判定するために入出力端子間にスイッチを設けたＲＦ受信機の入力端子に入力し、出力端子から放送信号が出力されるＲＦ受信機誤接続検出システム。
【請求項２】
前記、請求項１のＲＦ受信機誤接続検出システムの誤接続検出部において誤接続検出部を接続ケーブルと組み合わせたことを特徴とする請求項１記載のＲＦ受信機誤接続検出システム。
【請求項３】
ＲＦ受信機内部の入力端子−出力端子間に入力部からの放送信号が所望の放送信号かどうか判別する誤接続検出部と、入出力端子の誤接続を判定するための入出力端子間スイッチと、ＲＦ受信機の入力端子から放送信号が所望の放送信号でないときにエラー検出を行いそのエラー情報をＲＦ受信機から外部の記録再生装置の表示管に誤接続情報を提供するＲＦ受信機誤接続検出システム。
【発明の詳細な説明】
【技術分野】
【０００１】
本発明は、ＲＦ受信機のアンテナ入力ケーブル誤接続をなくすための誤接続検出システムに関するものである。
【背景技術】
【０００２】
ＤＶＤレコーダ、ＶＴＲ等の記録再生装置は、放送信号、ビデオ信号、オーディオ信号等の外部からの信号入力端子とその信号をテレビ等へ接続するためのそれぞれ信号出力端子を必ず有している。しかもそれぞれの端子は記録再生装置の後面に配置されているので確実にケーブルを接続するためには記録装置を設置場所から取り出さなくてはならない。しかし、一般的には記録再生装置をテレビ台に収納したまま後面端子を手探りの状態でケーブルを接続することが多く、お客様から誤接続により「記録再生装置の映像が出ない」等のクレームがあるのが現状である。映像と音声端子は同一のピンジャックであるため映像のケーブルを音声端子（音声のケーブルを映像端子）に接続できてしまう。その誤接続を防ぐ方法として記録再生装置とテレビ等間の接続ケーブルにおいて映像は黄色、音声は左音声を白色、右音声を赤色の端子に仕分けし誤接続防止を行っている（実開昭５９−１４８００７号、実開平１−５５５６３号参照）。後面に端子があり、設置場所が部屋の隅に設置することが多い記録再生装置は接続端子のある後面を正面に向けて接続作業をしない限り手探りで作業することになる。映像／音声ケーブルのコネクタ形状が全く同じであるため別の端子に接続しても誤りに気が付かなく電源を入れて初めてわかる。
【０００３】
同様にＲＦ受信機も同じく同一機器内に複数個存在する場合には高周波信号の入出力端子が同一形状であるため入力端子に出力ケーブルを接続したり、出力端子に入力ケーブルを接続したりする。または、ある放送帯のＲＦケーブルを別の異なった放送帯のＲＦ受信機に接続し記録再生装置の映像や音声が出ないといったクレームも発生している。さらに、テレビ放送の地上波ディジタル化に伴いテレビ放送が地上波アナログ波と地上波ディジタル波の２つの放送波が混在するいわゆるサイマル放送期間が生じるためＲＦ受信機もそれに対応したＲＦ受信機を搭載しなければならない。このようにＲＦ受信機が同一機器内に複数台搭載されるのは必至であり、それに伴い記録再生装置内のＲＦ受信機のＲＦケーブル誤接続トラブルが今後ますます多く発生すると見込まれる。
【特許文献１】実開昭５９−１４８００７号公報
【特許文献２】実開平１−５５５６３号公報
【発明の開示】
【発明が解決しようとする課題】
【０００４】
解決しようとする問題点は、ＶＨＦ、ＵＨＦ、ＣＡＴＶ受信機ならびに衛星放送受信機（以下ＲＦ受信機と略称）のアンテナ入出力端子が同一であり、複数のＲＦ受信機が同一機器内に存在する場合にアンテナ入出力端子の誤接続が発生する点である。
【課題を解決するための手段】
【０００５】
本発明は、ＲＦ受信機の入力の前後いずれかに地上波アナログ放送、地上波ディジタル放送、衛星放送の各周波数帯に応じたフィルターと復調器を備え、ＲＦ受信機内部の入力端子−出力端子間の信号を入力端子から出力端子のみの一方向とする構成をとる。これらの検出装置によって例えばＲＦ受信機が衛星放送を受信する受信機とし、その入力端子に地上波アナログ波を入力する。当然、入力端子には衛星放送の信号が入力されるものが地上波アナログ波になっているためフィルター部でブロックされ、さらに復調器部で放送波の映像信号を復調させるため本来と異なる放送波が入力された場合は復調されていないので映像信号として検出できなくなる。このようにフィルター、復調器のそれぞれの出力端から所望の信号かどうか判定することができ、判定できないときに表示管やＬＥＤで表示やブザー等の音で知らせる。
【発明の効果】
【０００６】
本発明のＲＦ受信機の誤接続検出装置は、例えばＲＦ受信機が衛星放送を受信する受信機とし、その入力端子に地上波アナログ波を入力した場合、記録再生装置の表示部やＬＥＤまたはブザー等の音などで誤接続情報を表示させ、お客様にお知らせすることができる。また、接続ケーブル等の緩み等で映像や音声が出ないトラブルを防ぐために各入出力端子と接続ケーブルには一定の接触条件が必要になるのでこれを利用して接続ケーブル等の緩みによる接続ミスも検出できる。
【発明を実施するための最良の形態】
【０００７】
接続ケーブルとＲＦ受信機入力端子間またはＲＦ受信機内に誤接続検出回路としてまず各放送波の周波数帯に応じたフィルターと各放送波の映像変調方式に応じた復調器を設ける。
また、ＲＦ受信機内部の入出力端子間にスイッチを設けることによって入力端子から出力端子のみの一方向だけスイッチをＯＮさせ逆接続の場合はＯＦＦさせることによって放送信号が遮断されるため誤接続を検出できる。
【０００８】
（実施の形態１）
図１は、本発明装置のＲＦ受信機の誤接続検出システム概略図である。１はＲＦ入力部であり、アンテナからの放送信号（地上アナログ波、地上ディジタル波、衛星放送）を入力する。２は本発明の装置における誤接続検出回路、３は１から放送信号を入力し受信するＲＦ受信機（チューナ）である。誤接続検出回路２の４は放送波に応じたフィルター、５は放送波に応じた復調器である。６はＲＦ受信機３の入力端子、７はＲＦ受信機３の出力端子、８はＲＦ受信機３の入力端子６−出力端子７間のＲＦ受信機３内部にあるスイッチである。９はエラー検出部であり、誤接続検出回路２のフィルター４、復調器５の出力側から所望の放送信号がどうか検出し、誤接続情報を表示部へ送る。また、ＲＦ受信機３の内部にあるスイッチを用いて出力端子７から放送信号が入力された場合に本来の放送信号ではないのでこれも検出する。１０はエラー検出部で得られた情報をもとに表示部で表示させる。
【０００９】
本システムの構成回路はＲＦ受信機３の前段の入力に誤接続検出回路２を配置した。この構成を行うにあたって従来の接続ケーブルに対する模式図を図２に示す。図２において１１は同軸ケーブル、１２は切替スイッチであり、放送波を選択できるようにするためお客様や設計者が適切な放送波を選択できるようにするためのスイッチ、１３は図１の入力端子６あるいは出力端子７と接続するための接栓（コネクタ）である。１４は同軸ケーブルが誤接続をしている場合に点灯させるＬＥＤである。
【００１０】
この構成での放送波切替の回路図を図３に示す。１５は地上波ディジタル放送信号を透過させるためのバンドパスフィルタ（以下ＢＰＦ）、１６は地上波ディジタル放送の変調方式がＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；直交周波数分割多重）であるためそれを復調させるＯＦＤＭ復調器、１７は衛星放送信号を透過させるためのハイパスフィルタ（以下ＨＰＦ）、１８は衛星放送の映像変調方式がＦＭ変調であるためそれを復調させるＦＭ復調器、１９は地上波アナログ放送信号を透過させるためのローパスフィルタ（以下ＬＰＦ）、２０は地上波アナログ放送の映像変調方式がＡＭ変調であるためそれを復調させるＡＭ復調器である。２１は放送波を選択する切替スイッチであり、地上波ディジタル、地上波アナログ、衛星放送を選択できる。この切替スイッチ２１を用いず接続ケーブル１本につき１つの放送信号つまり、地上波アナログ波だけを透過させたいならば図３でいうＬＰＦ１９とＡＭ復調器２０だけの単一誤接続検出回路を搭載させれば１つのＲＦ受信機しか記録再生装置に搭載されない場合に有効である。なお、この切替スイッチは各復調器の出力側へ配置することもできる。
【００１１】
以上のように構成された本実施の形態について、以下その動作について説明する。
【００１２】
これらの構成で例えば図１のＲＦ受信機３が衛星放送を受信する受信機とし、その入力端子６に衛星放送を入力したとする。この場合、図２の誤接続検出回路付接続ケーブルの切替スイッチ１２が衛星放送を選択しているので、図３のＨＰＦ１７によって衛星放送の信号が透過できる。次にＦＭ復調器１８から復調された映像信号が出力され、ＲＦ受信機３の入力端子６に入力されるため、エラー検出９ではエラーが検出されない。よって、同軸ケーブル１１内のＬＥＤ１４は点灯せず正常な接続ということになる。逆に図１のＲＦ受信機３が衛星放送を受信する受信機とし、その入力端子６に地上波アナログ波を入力したとする。
【００１３】
まず、図２の誤接続検出回路付接続ケーブルの切替スイッチ１２が衛星放送を選択しているので、図３のＨＰＦ１７によって地上波アナログ放送の信号が透過できない。ＨＰＦ１７の後段にＦＭ復調器１８を配置することによって二重に誤接続をチェックすることができる。この構成によってフィルターの後段に復調器を配置することで放送周波数帯がＵＨＦ帯を用いている地上波アナログと地上波ディジタルがこの復調器を用いることで区別できる。
【００１４】
この例の場合はＨＰＦ１７の出力端から信号が出力されないのでＦＭ復調器１８には入力されない。当然ＦＭ復調器１８に入力されていないので出力端には出力もされない。何も出力がされていないということがわかると誤接続検出回路２の内部にエラー検出９（マイコン等）で無入力状態を検知し、無入力状態が判断できればＨＰＦ１７またはＦＭ復調器の前段の信号でＬＥＤを点灯させるように信号を整流させ、接続ケーブル内のＬＥＤを点灯させたり、またはブザーを鳴らしたりする。
【００１５】
一方、誤接続の別の例としてアンテナからの入力信号が地上波アナログで図１のＲＦ受信機３が地上波アナログ波を受信する受信機とした場合、そのＲＦ受信機３の出力端子７に接続することがある。従来のＲＦ受信機の場合、出力端子にアンテナからの信号を入力しても、テレビ側のＲＦ受信機に入力される映像・音声レベルが数ｄＢ減衰するにもかかわらずテレビでは映像・音声が出力されてしまう。ところが記録再生装置を動作させると全く記録再生装置のＲＦ受信機からの映像・音声がテレビに出力されなくそこで初めて誤接続に気づくことになる。
【００１６】
同じように、アンテナからの信号が地上波アナログで図１のＲＦ受信機３が衛星放送を受信する受信機とした場合にＲＦ受信機３の出力端子７にアンテナからの信号を入力する誤接続も容易に考えられる。
【００１７】
上述したような２つの例のようにＲＦ受信機３の出力端子７にアンテナからの信号を入力することもあるのでこれを検出する機能として図１のスイッチ８をＯＮ／ＯＦＦさせて誤接続検出させる。ＲＦ受信機３の入力端子６にアンテナからの信号を入力した場合は入力される放送信号を用いて、ラッチに順方向の電圧を与えてスイッチ８をＯＮさせ、ＲＦ受信機３の入力端子６−出力端子７間を導通させアンテナからの信号を出力端子７に出力させる。
【００１８】
逆にＲＦ受信機３の出力端子７にアンテナからの信号を入力した場合は入力される放送信号を用いてラッチに逆方向の電圧を与えることでスイッチ８をＯＦＦさせ、ＲＦ受信機３の入力端子６−出力端子７間が開放されアンテナからの信号を入力端子６に出力させないようにする。この動作によって入力端子６側にはアンテナからの信号が伝播されていない状態になるのでＲＦ受信機３内部にマイコン等で無入力状態を検知し、無入力状態が判断できる。無入力状態と判断されればＲＦ受信機３内部のチューナ動作の電源を用いて入力端子６からＬＥＤを点灯させたり、ブザーを鳴らしたりするための電源を供給する。
【００１９】
（実施の形態２）
図４は、実施の形態１の誤接続検出回路をＲＦ受信機内部に持つ構成図であって、２４は放送信号を入力し受信するＲＦ受信機（チューナ）、２５はＲＦ受信機２４の入力端子、２６はＲＦ受信機２４の出力端子、２７は放送波に応じたフィルター、２８は放送波に応じた復調器である。２９は入力端子２５−出力端子２６間のＲＦ受信機２４内部にあるスイッチ、３０はフィルター２７、復調器２８の出力側から所望の放送信号がどうか検出し、誤接続情報を表示する。
【００２０】
図４の構成において実施の形態１と異なるのは誤接続検出回路がＲＦ受信機２４に内蔵されている点であり、従来の接続ケーブルがそのまま使えるという点がある。フィルター２７、復調器２８は受信したい放送波に応じたものつまりＲＦ受信機が地上波アナログ波を受信するものならばフィルター２７は図３におけるＬＰＦ１９にし、復調器２８はＡＭ復調器２０を選択すれば１つのＲＦ受信機セットでこれらのことが実現できることになる。このような場合、アンテナからの放送信号が地上波アナログであるのでＬＰＦ１９を透過し、ＡＭ復調器２０の出力から復調された映像信号が出力されＲＦ受信機２４の入力端子２５に入力される。そのためエラー検出部３０にはエラーが検出されない。よって、切替スイッチ２９がＯＮし、出力端子２６から信号が出力され通常の動作となる。
【００２１】
また、ＲＦ受信機が複数の放送波を受信できる複合型ＲＦ受信機の場合においても図３のスイッチ２１に相当するところを機械的なスイッチでは応答時間が遅いので半導体素子を用いたスイッチを用いて応答時間を早くし、例えば地上波ディジタル放送と衛星放送の２つを受信できるＲＦ受信機とすれば、あるラッチ操作によってスイッチを地上波ディジタル波側に切り替え、別のラッチ操作によってスイッチを衛星放送側に切り替える。このようにすればわざわざお客様が機械的なスイッチによって切り替えるのでないのでスイッチの切替ミスによるクレームも防げる。
【００２２】
一方、ＲＦ受信機２４が衛星放送を受信する受信機とし、その入力端子２５に地上波アナログを入力したとする。この場合も実施の形態１と同様にフィルター２７（ＨＰＦ）によって地上波アナログ波の信号が透過できない。フィルター２７の後段に復調器２８を配置することによって二重に誤接続をチェックすることができる。
【００２３】
この場合の例はフィルター２７の出力端から何も出力されないことを、ＲＦ受信機内部のマイコン等で検出させ、それをＲＦ受信機２４の外部のエラー検出部３０へ送る。エラー検出に基づいて、記録再生装置の表示制御３１を行い、表示３２で表示管に図５のような誤接続情報（ＢＳ  Ｃｏｎｎｅｃｔｉｏｎ  ＮＧ）を表示させ、お客様にお知らせすることができる。逆に出力端子２６から放送信号を入力するとスイッチ２９によってＯＦＦ状態となる。復調器２８の出力端には何も信号がない状態となるため、上述のように無入力状態をＲＦ受信機内部のマイコン等で検出させ、ＲＦ受信機２４の外部のエラー検出部３０へ送る。エラー検出に基づいて、記録再生装置の表示制御３１を行い、表示３２で表示管に図５のような誤接続情報（ＢＳ  Ｃｏｎｎｅｃｔｉｏｎ  ＮＧ）を表示させる。
【産業上の利用可能性】
【００２４】
本発明のＲＦ受信機誤接続検出装置は、接続ケーブルや記録再生装置の表示管を用いて容易に接続ケーブルの接続状況がわかり、誤接続検出回路内部にフィルターと復調器を備えることで放送信号を区別することができ、またＲＦ受信機の入出力端子間にスイッチを設け出力端子側からの放送信号の入力に対しても誤接続を検出できるので部屋の隅に設置するような記録再生装置等において有用である。例えば、ＶＨＳやＤＶＤレコーダー、ＨＤＤレコーダー等のＲＦ受信機の誤接続防止に適用できる。
【図面の簡単な説明】
【００２５】
【図１】本発明の実施の形態１におけるＲＦ受信機の誤接続検出装置の実施方法を示したブロック図
【図２】本発  明の実施の形態１におけるＲＦ受信機の誤接続検出装置の実施方法を示した模式図
【図３】図２の模式図内の切り替えスイッチを用いた誤接続検出回路のブロック図
【図４】本発明の実施の形態２におけるＲＦ受信機の誤接続検出装置の実施方法を示したブロック図
【図５】本発明の実施の形態２におけるＲＦ受信機の誤接続検出表示例を示す模式図
【符号の説明】
【００２６】
１    ＲＦ入力部
２    誤接続検出回路
３    ＲＦ受信機（チューナ）
４    フィルター
５    復調器
６    ＲＦ受信機の入力端子
７    ＲＦ受信機の出力端子
８    スイッチ
９    エラー検出部
１０    接続ケーブル内の表示部
１１    同軸ケーブル
１２    切替スイッチ
１３    接栓（コネクタ）
１４    ＬＥＤ
１５    バンドパスフィルタ（ＢＰＦ）
１６    ＯＦＤＭ復調器
１７    ハイパスフィルタ（ＨＰＦ）
１８    ＦＭ復調器
１９    ローパスフィルタ（ＬＰＦ）
２０    ＡＭ復調器
２１    放送波を選択する切替スイッチ
２２    エラー検出部
２３    接続ケーブル内の表示部
２４    ＲＦ受信機（チューナ）
２５    ＲＦ受信機の入力端子
２６    ＲＦ受信機の出力端子
２７    フィルター
２８    復調器
２９    スイッチ
３０    エラー検出部
３１    表示制御部
【図１】
2006287408.tif 000003
【図２】
2006287408.tif 000004
【図３】
2006287408.tif 000005
【図４】
2006287408.tif 000006
【図５】
2006287408.tif 000007